(57)【特許請求の範囲】
【請求項１】
前面枠の前面側に設けられた打球供給皿のパチンコ球を前面枠の裏面側に導いて垂直下方に誘導する球通路と、上下方向へ回動自在に軸支され、下方に回動した状態のとき球通路の先頭に位置するパチンコ球を球支持部の上面で受けて待機させると共に、上方に回動することにより球支持部の上面のパチンコ球を球受凹部に受け入れ、かつ下方への回動によって球受凹部に受け入れたパチンコ球を球通路の前側面の供給口から発射レールの発射位置に供給する球送り部材とからなる打球供給装置を備えたパチンコ機であって、
前記打球供給皿の整流部の下流端底部に第１の球抜孔を設けると共に、前記打球供給装置の球通路の後側面に第２の球抜孔を設け、
前記第１、第２の球抜孔と前記前面枠の前面側に設けられた下部球皿とを球抜通路によって連通し、
前記第１、第２の球抜孔には、常に前方に付勢されて前記第１、第２の球抜孔を閉鎖し、球抜き操作により後方に移動して前記第１、第２の球抜孔を開放する球抜部材を設け、該球抜部材は、閉鎖時に第１の球抜孔に臨む水平板部と第２の球抜孔に臨む垂直板部とによって形成され、
前記球送り部材の球支持部上面は、該球送り部材の軸を中心とする円弧面として形成すると共に、該球支持部上面で待機する前記球通路の先頭のパチンコ球を球抜孔に転動し得る状態で支持するように構成し、
前記球通路は、前記球送り部材の球支持部上面で待機する先頭のパチンコ球が後続するパチンコ球の球圧によって常に供給口方向に押されるように形成してなることを特徴とするパチンコ機における打球供給皿の球抜装置。
【請求項２】
前記第１の球抜孔と前記第２の球抜孔は互いに連通していることを特徴とする請求項１記載のパチンコ機における打球供給皿の球抜装置。
【請求項３】
前記第２の球抜孔は、前記球送り部材の球支持部の上面部分と対応する位置に設けられていることを特徴とする請求項１又は２記載のパチンコ機における打球供給皿の球抜装置。
【発明の詳細な説明】
【０００１】
【発明の属する技術分野】
本発明は、パチンコ機の前面枠の前面側に設けられた打球供給皿のパチンコ球を打球杆に連動して１個ずつ発射レールの発射位置に供給する打球供給装置を備えたパチンコ機に関し、さらに詳しくは打球供給皿のパチンコ球を打球供給装置内に残すことなくすべて下部球皿に抜き取ることができるようにしたパチンコ機における打球供給皿の球抜装置に関するものである。
【０００２】
【従来の技術】
従来のパチンコ機においては、前面枠の前面側に打球供給皿と下部球皿とを設け、打球供給皿のパチンコ球を前面枠の裏面側に設けられた打球供給装置に導いて１個ずつ発射レールの発射位置に供給するようにされている。一方、打球供給皿の底部には球抜孔が設けられると共に、該球抜孔にスライド板が配設されており、該スライド板を移動させて球抜孔を開放することにより打球供給皿のパチンコ球を下部球皿に抜き取るようにしていた。
【０００３】
【発明が解決しようとする課題】
上記した従来のパチンコ機にあっては、打球供給皿のパチンコ球を該打球供給皿の底部の球抜孔から直接に下部球皿へ抜き取るようにしているため、打球供給装置に導かれたパチンコ球は抜き取られないでそのまゝ打球供給装置内に残ってしまうという問題点があった。
【０００４】
そして、打球供給装置内に残ったパチンコ球を抜き取るためには、例えばその残されたパチンコ球を弱い弾発力で発射してファール球口から下部球皿に戻して回収する等遊技者に面倒な操作を行わせる必要があった。
【０００５】
一方、例えば実公平６−３６４８号公報記載のように発射球供給機構に球抜部材を設け、球抜き操作によって球抜部材を球抜位置へ変位させることにより上皿（打球供給皿）のパチンコ球をすべて球抜きすることができるようにしたパチンコ機が知られている。
【０００６】
しかし、この従来のパチンコ機においては、球抜部材が球抜き方向に移動可能なように設けられているため、上皿に貯留されるパチンコ球の球圧に抗した球抜き操作を行う必要がなく球抜き操作を軽くかつ円滑に行うことができるものの、反対に球抜部材に過大な球圧が掛けられると該球抜部材が球抜き方向に移動して無用に球抜きされてしまうという問題点があった。
【０００７】
また、パチンコ球を１個ずつ発射レールの発射位置に供給する発射球供給機構の受け部材の側方に球抜口が設けられており、しかも球抜き操作によって球抜部材を受け部材から離れる方向に移動させることにより上皿のパチンコ球を受け部材上に落下させながら球抜きを行うものであるから、受け部材がパチンコ球の落下に伴なう強い衝撃を受け続けて損傷し易く、しかも球抜きスペースがパチンコ球１個分のためすべてのパチンコ球を抜き取るのに時間が掛かる等多くの問題点を有する。
【０００８】
本発明は、上記した問題点に鑑みなされたもので、その目的とするところは、打球供給皿のパチンコ球を下部球皿に抜き取る際に打球供給装置内に残されたパチンコ球も残らず下部球皿に抜き取ることができるようにすると共に、打球供給皿に貯留されるパチンコ球の球圧によって無用に球抜きされてしまうような事態を確実に防止することができ、さらに球抜きを効果的かつ迅速に行うことができるようなパチンコ機における打球供給皿の球抜装置を提供することにある。
【０００９】
【課題を解決するための手段】
上記目的を達成するために、本発明は、前面枠の前面側に設けられた打球供給皿のパチンコ球を前面枠の裏面側に導いて垂直下方に誘導する球通路と、上下方向へ回動自在に軸支され、下方に回動した状態のとき球通路の先頭に位置するパチンコ球を球支持部の上面で受けて待機させると共に、上方に回動することにより球支持部の上面のパチンコ球を球受凹部に受け入れ、かつ下方への回動によって球受凹部に受け入れたパチンコ球を球通路の前側面の供給口から発射レールの発射位置に供給する球送り部材とからなる打球供給装置を備えたパチンコ機であって、前記打球供給皿の整流部の下流端底部から打球供給装置の球通路の後側面にわたって球抜孔を開設すると共に、該球抜孔と前面枠の前面側に設けられた下部球皿とを連通する球抜通路を設け、前記球抜孔には、常に前方に付勢されて球抜孔を閉鎖し、球抜き操作により後方に移動して球抜孔を開放する球抜部材を設け、前記球送り部材の球支持部上面は、該球送り部材の軸を中心とする円弧面として形成すると共に、球支持部上面で待機する球通路の先頭のパチンコ球を球抜孔に転動し得る状態で支持するように構成し、前記球通路は、球送り部材の球支持部上面で待機する先頭のパチンコ球が後続するパチンコ球の球圧によって常に供給口方向に押されるようにしたものである。
【００１０】
前記球通路は、球送り部材の球支持部上面で待機する先頭のパチンコ球に打球供給皿のパチンコ球の球圧が掛かっている状態のとき、その先頭のパチンコ球の中心が後続のパチンコ球の中心より供給口方向に位置するように形成するとよい。
【００１１】
上記のように構成されたパチンコ機における打球供給皿の球抜装置は、球抜き操作によって球抜部材を球抜孔を開放する位置に移動させると、打球供給皿のパチンコ球は球抜孔から球通路に直接に落下し、球送り部材の球支持部上面で受けられて打球供給装置の球通路内に並んで待機するパチンコ球は球抜部材による支持を失なって球抜孔から球抜通路に転動するもので、これによって打球供給皿及び打球供給装置の球通路内のパチンコ球を残らずすべて下部球皿に抜き取ることができる。
【００１２】
【発明の実施の形態】
次に、本発明の一実施の形態を図面に従い説明する。図１は本発明に係るパチンコ機の正面図、図２はガラス枠及び前面板を開放した状態のパチンコ機の下部部分の斜視図である。図において、１はパチンコ機の前面枠、２は前面枠１の後面に着脱自在に装着される遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス枠７と一緒に前面枠１の一側に開閉自在に装着されている。前記前面板６の表面には打球供給皿８が設けられている。また、前面枠１の下部前面には打球供給皿８の余剰球を貯留する下部球皿９と打球発射用の操作ハンドル１０が設けられている。
【００１３】
前記打球供給皿８は、図３に示すように本体部１１と該本体部１１の前面外側を覆うカバー部材１２とから構成されている。本体部１１はパチンコ球を貯留する皿部１３と該皿部１３の上縁部分を囲う飾板部１４及び皿部１３の下方に延出する側板部１５とを有する。前記皿部１３は底部が一方に緩やかに下り傾斜してその傾斜下部にパチンコ球が一列に整列される整流部１６が形成されており、該整流部１６の下流端が位置する前面板６には皿部１３のパチンコ球を前面板６の裏側に流出させる球出口１７が開設されている。
【００１４】
一方、前面板６の裏側には打球供給装置１９が設けられている。この打球供給装置１９は、打球供給皿８に貯留されるパチンコ球を前面板６の球出口１７から一個ずつ発射レール３の発射位置５に供給するためのもので、図４に分解して示すように通路構成部材２０と球送り部材２１とにより構成されている。
【００１５】
通路構成部材２０は、前面板６の球出口１７に合致する流入口２２が開設された台板部２０ａと、垂直状の球通路２３が形成された本体部２０ｂとに二分割して形成されており、該球通路２３の終端に球送り部材２１が配設されている。また、球通路２３の下部前側面に発射レール３の発射位置５に対応する供給口２４が形成されている。
【００１６】
前記球送り部材２１は、両側部に発射レール３と平行な回動支軸２５が一体に突設されており、該回動支軸２５を供給口２４に形成された軸受凹部２６，２６に嵌めて上下方向へ回動自在に支持されている。この球送り部材２１は、自然状態では下方に回動するように重心が設けられている。また、球送り部材２１は下方に回動した状態（図６（イ）参照）のとき球通路２３の先頭に位置するパチンコ球を上面で受け止めて支持する球支持部２７と、上方に回動（図６（ロ）実線参照）することにより球支持部２７から落下するパチンコ球を受け入れて保持し、かつ下方に回動されたときそのパチンコ球を供給口２４から発射レール３の発射位置５に送り出す半円状の球受凹部２８と、球通路２３から外方へ突出する係合ピン２９とが一体に設けられている。
【００１７】
しかして、前記打球供給皿８の整流部１６の下流端底部に第１の球抜孔３０を設けると共に、打球供給装置１９の球通路２３の後側面に第２の球抜孔３１を設けている。この第２の球抜孔３１は、図７に示すように球送り部材２１の球支持部２７の上面部分と対応する位置に設けられるもので、台板部２０ａの流入口２２を縦長に形成してその下方部を第２の球抜孔３１としている。また、第１の球抜孔３０と第２の球抜孔３１は、前面板６に形成された連通孔３２を介して互いに連通されており、該連通個所に球抜部材３３が配設されている。
【００１８】
この球抜部材３３は、図７に示したように後側部分が供給皿８の側板部１５に設けられたガイド部３４に前後方向、すなわち第２の球抜孔３１の球抜き方向に往復移動自在に支持されており、該球抜部材３３の水平板部３３ａを第１の球抜孔３０に臨ませると共に、前端の垂直板部３３ｂを連通孔３２から第２球抜孔３１に臨ませている。なお、打球供給皿８の側板部１５には、第１の球抜孔３０及び連通孔３２を介して第２の球抜孔３１と連通する球抜通路３５が形成されており、該球抜通路３５は前面板６に開設された流出口３６及びファール球回収シュート３７を介して下部球皿９に連通されている。
【００１９】
前記球送り部材２１の球支持部２７の上面は、図６（イ）に示すように回動支軸２５を中心とする円弧面として形成されており、かつ球支持部２７上面で待機するパチンコ球Ｂに対して後続するパチンコ球Ｂ１の球圧が掛けられていない状態のとき該パチンコ球Ｂを第２の球抜孔３１に自然転動させ得る状態で支持するようになっている。また、前記球通路２３は、球送り部材２１の球支持部２７上面で待機する先頭のパチンコ球Ｂに対して後続するパチンコ球Ｂ１の球圧が掛けられている状態のとき、その先頭のパチンコ球Ｂの中心が後続のパチンコ球Ｂ１の中心より供給口２４方向に位置するように形成されている。
【００２０】
なお、前記球送り部材２１の係合ピン２９は図５に示すように発射レール３の下方であり、かつ遊技盤２の前面側に軸３８で回動自在に軸支された連動レバー３９の押圧部４０に当接可能なようになっている。また連動レバー３９は、軸３８より下方に垂下するレバー部４１を一体に備え、該レバー部４１が打球杆４に固着された引掛杆４２と係合可能なようになっている。
【００２１】
一方、打球供給皿８の側板部１５の前面側には図７に示すように球抜部材３３を球抜き操作するための逆Ｌ字形をなすレバー部材４３と操作部材４４とが設けられている。レバー部材４３は軸４５により揺動自在に軸支されており、該軸４５より下方に形成された長孔４６に開閉部材３３の後端の突起４７を臨ませている。また、レバー部材４３には復帰用のコイルばね４８が連結されており、該コイルばね４８によって球抜部材３３を第１の球抜孔３０及び第２の球抜孔３１を閉じる位置に付勢している。
【００２２】
また、前記操作部材４４は、軸４９によって上下方向へ回動自在に軸支されると共に、レバー部材４３に接触状に位置して飾板部１４の透孔５０から上方に突出されており、該操作部材４４を押圧してレバー部材４３を図７鎖線のように回動させることによって球抜部材３３を第１の球抜孔３０及び第２の球抜孔３１を開放する位置に移動させることができるようになっている。
【００２３】
本発明は、上記のような構成からなるもので、次にその作用について説明する。図６（イ）に示すように打球供給皿８に貯留されるパチンコ球は、整流部１６によって一列に整列されながら前面板６の球出口１７から流入口２２を経て球通路２３に連続して流入し、その先頭に位置するパチンコ球Ｂが下方に回動した状態に置かれている球送り部材２１の球支持部２７上面の円弧面に受けられて待機する。この際に、球支持部２７上のパチンコ球Ｂの中心は後続のパチンコ球Ｂ１の球圧を受けてその後続のパチンコ球Ｂ１の中心より供給口２４方向に位置させられているため、打球供給皿８に貯留される過大な球圧が先頭のパチンコ球Ｂに掛けられても球抜部材３３が球抜き方向に押圧されるようなことがなく確実に第１の球抜孔３０及び第２の球抜孔３１を閉鎖し続けることになる。
【００２４】
一方、この状態で打球杆４が図５鎖線のように発射準備位置に回動されると引掛杆４２によって連動レバー３９のレバー部４１が引寄せられて該連動レバー３９が軸３８を支点として上方（時計廻り方向）へ回動し、これの押上部４０が球送り部材２１の係合ピン２９を上方へ押上げる。このため、球送り部材２１が回動支軸２５を支点として図６（ロ）実線のように上方（反時計廻り方向）へ回動し、球支持部２７の円弧上面で支持されていたパチンコ球Ｂが球受凹部２８に落下して保持される。
【００２５】
そして、打球杆４が図５実線で示す発射位置に回動すると、球送り部材２１は連動レバー３９の押上部４０による押し上げが解除されて自重とパチンコ球Ｂの重量で図６（ロ）鎖線のように下方（時計廻り方向）に回動し、球受凹部２８のパチンコ球Ｂを供給口２４から発射レール３の発射位置５に供給する。同時に後続するパチンコ球Ｂ１を球支持部２７の円弧上面で支持するもので、その後は打球杆４の往復回動ごとに球通路２３のパチンコ球が１個ずつ発射位置５に供給されることになる。
【００２６】
しかして、打球供給皿８のパチンコ球を下部球皿９に抜き取るには図８（イ）に示す状態において、操作部材４４を図７鎖線のように押圧してレバー部材４３をコイルばね４８の復帰勢力に抗して回動させる。これによって、球抜部材３３がレバー部材４３の長孔４６に係合する突起４７を介して図８（ロ）に示すように左方向に移動する。
【００２７】
このため、先ず球抜部材３３の垂直板部３３ｂで支持されていた後続のパチンコ球Ｂ１が第２の球抜孔３１方向に移動し、図８（ハ）に示すように第１の球抜孔３０及び第２の球抜孔３１が開放されると球抜通路３５に落下する。次いで、球支持部２７の円弧上面で受けられて球通路２３で待機する先頭のパチンコ球Ｂが後続のパチンコ球Ｂ１の球圧から解放されて第２の球抜孔３１から球抜通路３５に自然落下し、同時に打球供給皿８のパチンコ球が第１の球抜孔３０から球抜通路３５に落下してすべて下部球皿９に抜き取られる。
【００２８】
そして、打球供給皿８及び打球供給装置１９の球通路２３のパチンコ球を下部球皿９に抜き取った後、操作部材４４の押圧を解除すると、コイルばね４８の復帰勢力によってレバー部材４３が図７実線で示す元の位置に復帰し、同時に球抜部材３３も図８（イ）に示す位置に移動して第１の球抜孔３０及び第２の球抜孔３１を閉鎖する。
【００２９】
【発明の効果】
以上、説明したところから明らかなように、本発明に係るパチンコ機における打球供給皿の球抜装置によれば、打球供給皿のパチンコ球を下部球皿に抜き取る際に打球供給装置内に残留するパチンコ球を同時に抜き取ることができるようにしたものであるから、従来のように打球供給装置に残されたパチンコ球を下部球皿に回収するための面倒な操作を不要とすることができ、遊技者のサービス向上を図れる利点がある。
【００３０】
そして、打球供給皿に貯留されるパチンコ球の過大な球圧が球抜部材に加えられても無用に球抜取口が開放されて球抜きされてしまうというような事態を確実に防止することができる。
【００３１】
また、打球供給皿のパチンコ球を打球供給装置を通過させることなく球抜きすることができるので、打球供給皿のパチンコ球の抜き取りを早く行うことができると共に、打球供給装置の球送り部材上にパチンコ球を落下させないようにすることができるので球送り部材の損傷を防止するのに役立つ。
【図面の簡単な説明】
【図１】本発明に係るパチンコ機の正面図である。
【図２】ガラス枠及び前面板を開放して示すパチンコ機の下部部分の斜視図である。
【図３】打球供給皿の分解斜視図である。
【図４】打球供給装置の分解斜視図である。
【図５】打球供給装置部分の断面正面図である。
【図６】打球供給装置の作用を説明する断面側面図で、（イ）は球送り部材が下方に回動した状態を示し、（ロ）は球送り部材が上方に回動した状態を示すものである。
【図７】打球供給皿と下部球皿との関連構成を示す要部の断面側面図である。
【図８】球抜き作用を説明する要部の断面側面図で、（イ）は球抜孔を閉鎖した状態、（ロ）は球抜孔を途中まで開放した状態、（ハ）は球抜孔を開放した状態を示すものである。
【符号の説明】
１        前面枠
３        発射レール
５        発射位置
８        打球供給皿
９        下部球皿
１６      整流部
１９      打球供給装置
２１      球送り部材
２３      球通路
２４      供給口
２７      球支持部
２８      球受凹部
３０      第１の球抜孔
３１      第２の球抜孔
３３      球抜部材
３５      球抜通路
【図１】
0004038252.tif 000002
【図２】
0004038252.tif 000003
【図３】
0004038252.tif 000004
【図４】
0004038252.tif 000005
【図５】
0004038252.tif 000006
【図６】
0004038252.tif 000007
【図７】
0004038252.tif 000008
【図８】
0004038252.tif 000009